(57)【特許請求の範囲】
【請求項１】
両端がそれぞれ地震破壊した接続ビームの２つの切断端部に取り付けられる非エネルギー
散逸セグメントを含み、前記非エネルギー散逸セグメント上のエネルギー散逸セグメント
を埋め込んで配置することが可能であり、
前記非エネルギー散逸セグメントは、Ｉ型鋼のビームであり、
前記エネルギー散逸セグメントは、エネルギー散逸ブロック（１）、および前記エネルギ
ー散逸ブロック（１）の両端に取り付けられＩ型鋼のビームを接続するための第１の接続
部品（２）を含み、
前記エネルギー散逸ブロック（１）は、エネルギー散逸ブロック本体（１１）、エネルギ
ー散逸ブロック本体（１１）内部に取り付けられた２つのエネルギー散逸コンポーネント
（１２）、エネルギー散逸ブロック本体（１１）内部に取り付けられ２つの前記エネルギ
ー散逸コンポーネント（１２）間に位置するエネルギー散逸ボール（１３）、エネルギー
散逸ブロック本体（１１）内部に取り付けられ２つの前記エネルギー散逸コンポーネント
（１２）下端に位置するエネルギー散逸パッド（１４）、およびエネルギー散逸ブロック
本体（１１）上端に取り付けられたエネルギー伝達ブロック（１５）を含み、
前記エネルギー散逸コンポーネント（１２）は、取付ブロック（１２０）、それぞれ取付
ブロック（１２０）の上端面、下端面、左端面、右端面に可動に取り付けられた上部スラ
イダー（１２１）、下部スライダー（１２２）、左側スライダー（１２３）、右側スライ
ダー（１２４）を含み、前記上部スライダー（１２１）と下部スライダー（１２２）との
間にバネ（１２５）が設けられ、前記左側スライダー（１２３）と右側スライダー（１２
４）とは同じ構造を有し、左側スライダー（１２３）と右側スライダー（１２４）とは取
付ブロック（１２０）を中心として対向して配置され、左側スライダー（１２３）、右側
スライダー（１２４）と上部スライダー（１２１）、下部スライダー（１２２）の接触端
面がそれぞれ傾斜面であり、
前記エネルギー散逸ボール（１３）の左端および右端それぞれが一方のエネルギー散逸コ
ンポーネント（１２）の左側スライダー（１２３）の一端、他方のエネルギー散逸コンポ
ーネント（１２）の右側スライダー（１２４）の一端に接続され、第１の接続部品（２）
が一方のエネルギー散逸コンポーネント（１２）の左側スライダー（１２３）の他端、他
方のエネルギー散逸コンポーネント（１２）の右側スライダー（１２４）の他端に接続さ
れ、
前記エネルギー散逸パッド（１４）が下部スライダー（１２２）に接続され、前記エネル
ギー伝達ブロック（１５）が上部スライダー（１２１）に接続される、ことを特徴とする
地震破壊した接続ビームを完全に切断する補強装置。
【請求項２】
前記エネルギー散逸ブロック（１）は、エネルギー散逸コンポーネント（１６）をさらに
含み、前記エネルギー散逸コンポーネント（１６）は２つあり、２つのエネルギー散逸コ
ンポーネント（１６）がエネルギー散逸ブロック本体（１１）内部に取り付けられそれぞ
れエネルギー散逸ボール（１３）の上端および下端に位置し、
前記エネルギー散逸コンポーネント（１６）は、一端がエネルギー散逸ボール（１３）と
接触する接触エネルギー伝達ブロック（１６１）、前記接触エネルギー伝達ブロック（１
６１）の他端に接続されたダンパー（１６２）を含む、ことを特徴とする請求項１に記載
の補強装置。
【請求項３】
前記第１の接続部品（２）は、Ｉ字形構造の接続ブロック（２１）、前記接続ブロック（
２１）に開設されたＩ字形のスロット（２２）、接続ブロック（２１）の縦方向端面に設
けられＩ字形のスロット（２２）を貫通する第１の固定ノッチ（２３）、および接続ブロ
ック（２１）の横方向端面に設けられＩ字形のスロット（２２）を貫通する第２の固定ノ
ッチ（２４）を含み、
前記非エネルギー散逸セグメントの第１の接続部品（２）との接続端がＩ字形のスロット
（２２）内に挿入可能であり、非エネルギー散逸セグメントの第１の接続部品（２）との
接続端に、第１の固定ノッチ（２３）に対応する第１の接続溝及び第２の固定ノッチ（２
４）に対応する第２の接続溝が設けられる、ことを特徴とする請求項１に記載の補強装置
。
【請求項４】
前記非エネルギー散逸セグメントが切断端部と第２の接続部品（３）を介して接続され、
前記第２の接続部品（３）は、壁柱内部に埋め込んで配置された埋込ブロック（３１）、
および埋込ブロック（３１）の側面に設けられ非エネルギー散逸セグメントを接続するた
めの接続シート（３２）を含む、ことを特徴とする請求項１に記載の補強装置。
【請求項５】
前記補強装置は、地震破壊した接続ビームを交換するために使用され、前記地震破壊した
接続ビームは具体的に地震後の鉄筋コンクリート接続ビームの破壊部分であり、鉄筋コン
クリート接続ビームのアスペクト比がＬ／Ｈ≦５である、ことを特徴とする請求項１に記
載の補強装置。
【請求項６】
請求項１〜５のいずれか１項に記載の補強装置を使用して地震破壊した接続ビームを全部
切断して補強する工法であって、
ステップ１：地震破壊した接続ビームの切断
１）壁柱と接続ビームの接続部に沿って地震破壊した接続ビームを全部切断する、
２）地震破壊した接続ビームを切断した壁柱の端面に取付ノッチを切り取る、
３）壁柱の鉄筋部分が露出するまで、取付ノッチを研磨し、切断部をクリーンアップする
ステップと、
ステップ２：補強装置の取付
１）非エネルギー散逸セグメントに、エネルギー散逸セグメントの取付位置をカットし、
地震破壊した接続ビームの長さに応じて同じ長さのＩ型鋼のビームを選択し、選択された
Ｉ型鋼のビームにエネルギー散逸セグメントの取付位置をカットして、カットした２つの
非エネルギー散逸セグメントを取得し、そのうちに、エネルギー散逸セグメントの取付位
置をカットする場合Ｉ型鋼のビームの両端に取付ノッチの深さと等しい距離を確保する必
要がある、
７）カットしたいずれか一方の非エネルギー散逸セグメントを１つの取付ノッチに取り付
け、エネルギー散逸セグメントを取り付け、その後カットした他方の非エネルギー散逸セ
グメントをエネルギー散逸セグメント、他方の取付ノッチ間に取り付けるステップと、
を含むことを特徴とする工法。
【発明の詳細な説明】
【技術分野】
【０００１】
本発明は、地震破壊した建物の補修の技術分野に関し、具体的に地震破壊した接続ビーム
を完全に切断する補強装置および工法に関する。
【背景技術】
【０００２】
現在、ほとんどの鉄筋コンクリート建物は耐震壁構造システム、フレーム-耐震壁を採用
しているが、耐震壁構造とフレーム-耐震壁構造では、壁柱と壁柱を接続して壁柱の平面
内で連結したビームが接続ビームと呼ばれる。
【０００３】
近年、地震後の機能の急速な回復は、建築の分野で注目されている研究テーマとなってい
る。鉄筋コンクリート建物のほとんどは現在、依然としてＲＣ結合壁が採用され、地震の
往復作用の下で、ＲＣ接続ビームが最初に降伏して地震によって引き起こされた負荷を散
逸する。実際の用途では、高層ビルの接続ビーム全体の両端がＲＣ壁柱内部に埋め込まれ
、かつ自身の質量が大きいため、地震後に直接補修することが困難である。また、交換に
は時間と労力がかかる。
【０００４】
現代社会の高度な経済と持続可能なサークルへの需要により、安全を確保する上で地震後
の建物構造機能の迅速な補修を実現する方法が差し迫っている。そのため、地震後の鉄筋
コンクリート建物の接続ビームの補修方法が急務となっている。
【発明の概要】
【０００５】
本発明の目的は、地震で破壊した接続ビームを完全に切断する補強装置および工法を提供
することである。
【０００６】
本発明の技術的解決策として、地震破壊した接続ビームを完全に切断する補強装置は、両
端がそれぞれ地震破壊した接続ビームの２つの切断端部に取り付けられる非エネルギー散
逸セグメントを含み、前記非エネルギー散逸セグメント上のエネルギー散逸セグメントを
埋め込んで配置することができる。
【０００７】
本発明の一態様として、前記非エネルギー散逸セグメントはＩ型鋼のビームであり、
前記エネルギー散逸セグメントは、エネルギー散逸ブロック、および前記エネルギー散逸
ブロック両端に取り付けられＩ型鋼のビームを接続するための第１の接続部品を含み、
前記エネルギー散逸ブロックは、エネルギー散逸ブロック本体、エネルギー散逸ブロック
本体内部に取り付けられた２つのエネルギー散逸コンポーネント、エネルギー散逸ブロッ
ク本体内部に取り付けられ２つの前記エネルギー散逸コンポーネント間に位置するエネル
ギー散逸ボール、エネルギー散逸ブロック本体内部に取り付けられ２つの前記エネルギー
散逸コンポーネント下端に位置するエネルギー散逸パッド、およびエネルギー散逸ブロッ
ク本体上端に可動に取り付けられたエネルギー伝達ブロックを含み、
前記エネルギー散逸コンポーネントは、取付ブロック、それぞれ取付ブロック上端面、下
端面、左端面、右端面に可動に取り付けられた上部スライダー、下部スライダー、左側ス
ライダー、右側スライダーを含み、前記上部スライダー、下部スライダー間にバネがさら
に設けられ、前記左側スライダー、右側スライダーは同じ構造を有し、左側スライダー、
右側スライダー取付ブロックを中心として対向して配置され、左側スライダー、右側スラ
イダーと上部スライダー、下部スライダーの接触端面がそれぞれ傾斜面であり、
前記エネルギー散逸ボールの左端および右端がそれぞれ一方のエネルギー散逸コンポーネ
ントの左側スライダーの一端、他方のエネルギー散逸コンポーネントの右側スライダーの
一端に接続され、第１の接続部品が一方のエネルギー散逸コンポーネントの左側スライダ
ーの他端、他方のエネルギー散逸コンポーネントの右側スライダーの他端に接続され、
前記エネルギー散逸パッド与下部スライダー接続、前記エネルギー伝達ブロック与上部ス
ライダー接続、利用本補強装置使得エネルギー散逸セグメントは一定の自己回復能力を有
し、小さい地震エネルギーに対応するとき自身の補修能力によって耐震効果を実現するこ
とができる。
【０００８】
本発明の一態様として、前記エネルギー散逸ブロックは、エネルギー散逸コンポーネント
をさらに含み、前記エネルギー散逸コンポーネントが２つあり、２つのエネルギー散逸コ
ンポーネントがエネルギー散逸ブロック本体内部に取り付けられそれぞれエネルギー散逸
ボールの上端および下端に位置し、
前記エネルギー散逸コンポーネントは、一端がエネルギー散逸ボールと接触する接触エネ
ルギー伝達ブロック、前記接触エネルギー伝達ブロックの他端に接続されたダンパーを含
み、ダンパーは従来技術のダンパーが採用され、エネルギー散逸コンポーネントによって
エネルギー散逸セグメントの耐震性をさらに高めるとともに、自己回復能力をさらに向上
できる。
【０００９】
本発明の一態様として、前記第１の接続部品は、Ｉ字形構造の接続ブロック、前記接続ブ
ロックに開設されたＩ字形のスロット、接続ブロックの縦方向端面に設けられＩ字形のス
ロットを貫通する第１の固定ノッチ、および接続ブロックの横方向端面に位置しＩ字形の
スロットを貫通する第２の固定ノッチを含み、
前記非エネルギー散逸セグメントの第１の接続部品との接続端がＩ字形のスロット内に挿
入され得、非エネルギー散逸セグメントの第１の接続部品との接続端に、第１の固定ノッ
チに対応する第１の接続溝、第２の固定ノッチに対応する第２の接続溝が設けられ、固定
ノッチと接続溝を使用して高強度ボルトで接続された方式によって、非エネルギー散逸セ
グメントとエネルギー散逸セグメントを接続し、後期の交換に便利である。
【００１０】
好ましくは、前記非エネルギー散逸セグメントが切断端部と第２の接続部品を介して接続
され、前記第２の接続部品は、壁柱内部に埋め込んで配置された埋込ブロック、および埋
込ブロック側面に設けられ非エネルギー散逸セグメントを接続するための接続シートを含
み、地震破壊した接続ビームを切断するとき、接続ビームと壁柱の接続領域をクリーンア
ップし、埋込ブロックを介して壁柱内部の鉄筋を半田付けて埋込ブロックを壁柱内部に埋
め込んだ後、強化ボルトによって補強し、非エネルギー散逸セグメントと接続シートを接
続する。
【００１１】
本発明の一態様として、前記補強装置は、地震破壊した接続ビームを交換するために使用
され、前記地震破壊した接続ビームは具体的に地震で破壊した鉄筋コンクリート接続ビー
ムの破壊部分であり、鉄筋コンクリート接続ビームのアスペクト比がＬ／Ｈ≦５である。
本発明は、地震破壊した接続ビームを全部切断して補強する工法を提供しそれは、以下の
ステップを含む：
ステップ１：地震破壊した接続ビームの切断
１）壁柱と接続ビームの接続部に沿って地震破壊した接続ビームを全部切断する、
２）地震破壊した接続ビームを切断した壁柱の端面に取付ノッチを切り取る、
３）壁柱の鉄筋部分が露出するまで、取付ノッチを研磨し、切断部をクリーンアップする
、
ステップ２：補強装置の取付
１）非エネルギー散逸セグメントに、エネルギー散逸セグメントの取付位置をカットし、
地震破壊した接続ビームの長さに応じて同じ長さのＩ型鋼のビームを選択し、選択された
Ｉ型鋼のビームにエネルギー散逸セグメントの取付位置をカットして、カットした２つの
非エネルギー散逸セグメントを取得し、そのうちに、エネルギー散逸セグメントの取付位
置をカットする場合Ｉ型鋼のビームの両端に取付ノッチの深さと等しい距離を確保する必
要がある、
２）カットしたいずれか一方の非エネルギー散逸セグメントを１つの取付ノッチに取り付
け、エネルギー散逸セグメントを取り付け、その後カットした他方の非エネルギー散逸セ
グメントをエネルギー散逸セグメント、他方の取付ノッチ間に取り付ける。
【００１２】
従来技術と比較すると、本発明の有益な効果は以下のとおりである。
１、本発明の方法は、設計が合理であり、地震破壊した接続ビームを効果的に交換可能に
補修し、補修した接続ビームは高いエネルギー散逸能力を有する、
２、本発明によって提出される補強装置全体は構造設計が合理であり、一定の地震に対応
する時好適な自動回復能力を有し、大きい地震エネルギーの破壊に対応するとき、後期の
地震破壊したエネルギー散逸セグメントの交換に便利である、
３、本発明は全体的に大きいプラスチック回転角に対応できるため、高い耐震性能を有し
、幅広いプロモーションに適しいる。
【図面の簡単な説明】
【００１３】
【図１】本発明の方法のフローチャートである。
【図２】本発明の実施例２の補強装置の分解図である。
【図３】本発明の実施例２のエネルギー散逸セグメントの外部構造の概略図である。
【図４】本発明の実施例２のエネルギー散逸セグメントの内部構造の概略図である。
【図５】本発明の実施例３のエネルギー散逸セグメントの外部構造の概略図である。
【図６】本発明の実施例４の補強装置の分解図である。
【図７】本発明の実施例１のエネルギー散逸セグメントの内部構造の概略図である。
【００１４】
［符号の説明］
１        エネルギー散逸ブロック
１１      エネルギー散逸ブロック本体
１２      エネルギー散逸コンポーネント
１２０    取付ブロック
１２１    上部スライダー
１２２    下部スライダー
１２３    左側スライダー
１２４    右側スライダー
１２５    バネ
１３      エネルギー散逸ボール
１４      エネルギー散逸パッド
１５      エネルギー伝達ブロック
１６      エネルギー散逸コンポーネント
１６１    接触エネルギー伝達ブロック
１６２    ダンパー
２        第１の接続部品
２１      接続ブロック
２２      Ｉ字形のスロット
２３      第１の固定ノッチ
２４      第２の固定ノッチ
３        第２の接続部品
３１      埋込ブロック
３２      接続シート
【発明を実施するための形態】
【００１５】
実施例１：地震破壊した接続ビームを完全に切断する補強装置は、両端がそれぞれ地震破
壊した接続ビームの２つの切断端部に取り付けられる非エネルギー散逸セグメントを含み
、前記非エネルギー散逸セグメント上のエネルギー散逸セグメントを埋め込んで配置する
ことが可能であり、
前記非エネルギー散逸セグメントは、Ｉ型鋼のビームであり、図２、７に示すように、非
エネルギー散逸セグメントはＩ型鋼のビームであり、エネルギー散逸セグメントはエネル
ギー散逸ブロック１、およびエネルギー散逸ブロック１の両端に設けられＩ型鋼のビーム
を接続するための第１の接続部品２を含み、
図７に示すように、エネルギー散逸ブロック１はエネルギー散逸ブロック本体１１、エネ
ルギー散逸ブロック本体１１内部に取り付けられた２つのエネルギー散逸コンポーネント
１２、エネルギー散逸ブロック本体１１内部に取り付けられ２つのエネルギー散逸コンポ
ーネント１２間に位置するエネルギー散逸ボール１３、エネルギー散逸ブロック本体１１
内部に取り付けられ２つのエネルギー散逸コンポーネント１２下端に位置するエネルギー
散逸パッド１４、およびエネルギー散逸ブロック本体１１上端に可動に取り付けられたエ
ネルギー伝達ブロック１５を含み、
エネルギー散逸コンポーネント１２は、取付ブロック１２０、それぞれ取付ブロック１２
０の上端面、下端面、左端面、右端面に可動に取り付けられた上部スライダー１２１、下
部スライダー１２２、左側スライダー１２３、右側スライダー１２４を含み、上部スライ
ダー１２１、下部スライダー１２２間にバネ１２５がさらに設けられ、左側スライダー１
２３、右側スライダー１２４は同じ構造を有し、左側スライダー１２３、右側スライダー
１２４は取付ブロック１２０を中心として対向して配置され、左側スライダー１２３、右
側スライダー１２４と上部スライダー１２１、下部スライダー１２２の接触端面がそれぞ
れ傾斜面であり、
エネルギー散逸ボール１３の左端および右端がそれぞれ一方のエネルギー散逸コンポーネ
ント１２の左側スライダー１２３の一端、他方のエネルギー散逸コンポーネント１２の右
側スライダー１２４の一端に接続され、第１の接続部品２が一方のエネルギー散逸コンポ
ーネント１２の左側スライダー１２３の他端、他方のエネルギー散逸コンポーネント１２
の右側スライダー１２４の他端に接続され、
エネルギー散逸パッド１４が下部スライダー１２２に接続され、エネルギー伝達ブロック
１５が上部スライダー１２１に接続される。
【００１６】
該補強装置の工法は、以下のステップを含む。
ステップ１：地震破壊した接続ビームの切断
１）壁柱と接続ビームの接続部に沿って地震破壊した接続ビームを全部切断し、地震破壊
した接続ビームは具体的に地震で破壊した鉄筋コンクリート接続ビームの破壊部分であり
、鉄筋コンクリート接続ビームのアスペクト比がＬ／Ｈ＝２．５である、
２）地震破壊した接続ビームを切断した壁柱の端面に取付ノッチを切り取る、
３）壁柱の鉄筋部分が露出するまで、取付ノッチを研磨し、切断部をクリーンアップする
、
ステップ２：補強装置の取付
１）非エネルギー散逸セグメントにエネルギー散逸セグメントの取付位置をカットし、地
震破壊した接続ビームの長さに応じて同じ長さのＩ型鋼のビームを選択し、選択されたＩ
型鋼のビームにエネルギー散逸セグメントの取付位置をカットし、カットした２つの非エ
ネルギー散逸セグメントを取得し、そのうちに、エネルギー散逸セグメントの取付位置を
カットする時Ｉ型鋼のビームの両端に取付ノッチの深さと等しい距離を確保する必要があ
る、
２）カットしたいずれか一方の非エネルギー散逸セグメントを１つの取付ノッチに取り付
け、第１の接続部品２によってエネルギー散逸セグメントを、取付ノッチに取り付けられ
た非エネルギー散逸セグメントにはんだ付け、その後カットした他方の非エネルギー散逸
セグメントをエネルギー散逸セグメント、他方の取付ノッチ間に取り付ける。
【００１７】
実施例２：実施例１とは以下のことが異なり、鉄筋コンクリート接続ビームのアスペクト
比がＬ／Ｈ＝１．５である。
【００１８】
実施例３：実施例１とは以下のことが異なり、図３、４に示すように、第１の接続部品２
は、Ｉ字形構造の接続ブロック２１、接続ブロック２１に開設されたＩ字形のスロット２
２、接続ブロック２１の縦方向端面に設けられＩ字形のスロット２２を貫通する第２の固
定ノッチ２３、および接続ブロック２１の横方向端面に設けられＩ字形のスロット２２を
貫通する第２の固定ノッチ２４を含み、
非エネルギー散逸セグメントと第１の接続部品２の接続端がＩ字形のスロット２２内に挿
入され得、非エネルギー散逸セグメントと第１の接続部品２の接続端に、第２の固定ノッ
チ２３に対応する第１の接続溝、および第２の固定ノッチ２４に対応する第２の接続溝が
設けられる。
該補強装置の工法は以下のステップを含む：
ステップ１：地震破壊した接続ビームの切断
１）壁柱と接続ビームの接続部に沿って地震破壊した接続ビームを全部切断し、地震破壊
した接続ビームは具体的に地震で破壊した鉄筋コンクリート接続ビームの破壊部分であり
、鉄筋コンクリート接続ビームのアスペクト比がＬ／Ｈ＝４．５である、
２）地震破壊した接続ビームを切断した壁柱の端面に取付ノッチを切り取る、
３）壁柱の鉄筋部分が露出するまで、取付ノッチを研磨し、切断部をクリーンアップする
、
ステップ２：補強装置の取付
１）非エネルギー散逸セグメントにエネルギー散逸セグメントの取付位置をカットし、地
震破壊した接続ビームの長さに応じて同じ長さのＩ型鋼のビームを選択し、選択されたＩ
型鋼のビームにエネルギー散逸セグメントの取付位置をカットし、カットした２つの非エ
ネルギー散逸セグメントを取得し、そのうちに、エネルギー散逸セグメントの取付位置を
カットするときに、Ｉ型鋼のビームの両端に取付ノッチの深さと等しい距離を確保する必
要がある、
１）カットしたいずれか一方の非エネルギー散逸セグメントを１つの取付ノッチに取り付
け、エネルギー散逸セグメント一端第１の接続部品２上のＩ字形のスロット２２を取付ノ
ッチ上のＩ型鋼のビームに位置合わせて取り付け、強化ボルトを使用して順次第１の固定
ノッチ２３によって第１の接続溝と固定され、第２の固定ノッチ２４によって第２の接続
溝と固定され、その後カットした他方の非エネルギー散逸セグメントをエネルギー散逸セ
グメント、他方の取付ノッチ間に取り付ける。
【００１９】
実施例４：実施例３と異なり、該補強装置の工法は以下のステップを含む：
ステップ１：地震破壊した接続ビームの切断
１）壁柱と接続ビームの接続部に沿って地震破壊した接続ビームを全部切断し、地震破壊
した接続ビームは具体的に地震で破壊した鉄筋コンクリート接続ビームの破壊部分であり
、鉄筋コンクリート接続ビームのアスペクト比がＬ／Ｈ＝３である、
２）地震破壊した接続ビームを切断した壁柱の端面に取付ノッチを切り取る、
３）壁柱の鉄筋部分が露出するまで、取付ノッチを研磨し、切断部をクリーンアップする
、
ステップ２：補強装置の取付
１）非エネルギー散逸セグメントにエネルギー散逸セグメントの取付位置をカットし、地
震破壊した接続ビームの長さに応じて同じ長さのＩ型鋼のビームを選択し、選択されたＩ
型鋼のビームにエネルギー散逸セグメントの取付位置をカットし、カットした２つの非エ
ネルギー散逸セグメントを取得し、そのうちに、エネルギー散逸セグメントの取付位置を
カットするときにＩ型鋼のビームの両端に取付ノッチの深さと等しい距離を確保する必要
がある、
２）エネルギー散逸セグメントをカットした２つの非エネルギー散逸セグメント間に取り
付けて、補修された接続ビーム全体を形成し、カットした２つの非エネルギー散逸セグメ
ントを順次エネルギー散逸セグメント両端の第１の接続部品２上のＩ字形のスロット２２
内に挿入し、その後強化ボルトを使用して順次第１の固定ノッチ２３によって第１の接続
溝と固定され、第２の固定ノッチ２４によって第２の接続溝と固定され、その後補修され
た接続ビーム全体を２つの取付ノッチ間に取り付ける。
【００２０】
実施例５：実施例３と異なり、図５に示すように、エネルギー散逸ブロック１はエネルギ
ー散逸コンポーネント１６をさらに含み、エネルギー散逸コンポーネント１６が２つあり
、２つのエネルギー散逸コンポーネント１６がエネルギー散逸ブロック本体１１内部に取
り付けられそれぞれエネルギー散逸ボール１３の上端および下端に位置し、
エネルギー散逸コンポーネント１６は、一端がエネルギー散逸ボール１３と接触する接触
エネルギー伝達ブロック１６１、接触エネルギー伝達ブロック１６１の他端に接続された
ダンパー１６２を含み、そのうちに、ダンパー１６２は市販されているダンパーである。
該補強装置の工法は以下のステップを含む：
ステップ１：地震破壊した接続ビームの切断
１）壁柱と接続ビームの接続部に沿って地震破壊した接続ビームを全部切断し、地震破壊
した接続ビームは具体的に地震で破壊した鉄筋コンクリート接続ビームの破壊部分であり
、鉄筋コンクリート接続ビームのアスペクト比がＬ／Ｈ＝３．５である、
２）地震破壊した接続ビームを切断した壁柱の端面に取付ノッチを切り取る、
３）壁柱の鉄筋部分が露出するまで、取付ノッチを研磨し、切断部をクリーンアップする
、
ステップ２：補強装置の取付
１）非エネルギー散逸セグメントにエネルギー散逸セグメントの取付位置をカットし、地
震破壊した接続ビームの長さに応じて同じ長さのＩ型鋼のビームを選択し、選択されたＩ
型鋼のビームにエネルギー散逸セグメントの取付位置をカットし、カットした２つの非エ
ネルギー散逸セグメントを取得し、そのうちに、エネルギー散逸セグメントの取付位置を
カットするときにＩ型鋼のビームの両端に取付ノッチの深さと等しい距離を確保する必要
がある、
３）カットしたいずれか一方の非エネルギー散逸セグメントを１つの取付ノッチに取り付
け、エネルギー散逸セグメントの一端の第１の接続部品２上のＩ字形のスロット２２を取
付ノッチ上のＩ型鋼のビームに位置合わせて取り付け、強化ボルトを使用して順次第１の
固定ノッチ２３によって第１の接続溝と固定され、第２の固定ノッチ２４によって第２の
接続溝と固定され、その後カットした他方の非エネルギー散逸セグメントをエネルギー散
逸セグメント、他方の取付ノッチ間に取り付ける。
【００２１】
実施例６：実施例５と異なり、該補強装置の工法は以下のステップを含む：
ステップ１：地震破壊した接続ビームの切断
１）壁柱と接続ビームの接続部に沿って地震破壊した接続ビームを全部切断し、地震破壊
した接続ビームは具体的に地震で破壊した鉄筋コンクリート接続ビームの破壊部分であり
、鉄筋コンクリート接続ビームのアスペクト比がＬ／Ｈ＝２．６である、
２）地震破壊した接続ビームを切断した壁柱の端面に取付ノッチを切り取る、
３）壁柱の鉄筋部分が露出するまで、取付ノッチを研磨し、切断部をクリーンアップする
、
ステップ２：補強装置の取付
１）非エネルギー散逸セグメントにエネルギー散逸セグメントの取付位置をカットし、地
震破壊した接続ビームの長さに応じて同じ長さのＩ型鋼のビームを選択し、選択されたＩ
型鋼のビームにエネルギー散逸セグメントの取付位置をカットし、カットした２つの非エ
ネルギー散逸セグメントを取得し、そのうちに、エネルギー散逸セグメントの取付位置を
カットするときにＩ型鋼のビームの両端に取付ノッチの深さと等しい距離を確保する必要
がある、
４）エネルギー散逸セグメントをカットした２つの非エネルギー散逸セグメント間に取り
付けて、補修された接続ビーム全体を形成し、カットした２つの非エネルギー散逸セグメ
ントを順次エネルギー散逸セグメント両端の第１の接続部品２上のＩ字形のスロット２２
内に挿入し、その後強化ボルトを使用して順次第１の固定ノッチ２３によって第１の接続
溝と固定され、第２の固定ノッチ２４によって第２の接続溝と固定され、その後補修され
た接続ビーム全体を２つの取付ノッチ間に取り付ける。
【００２２】
実施例７：実施例５と異なり、図６に示すように、非エネルギー散逸セグメントが切断端
部と第２の接続部品３を介して接続され、第２の接続部品３は、壁柱内部に埋め込んで設
けられた埋込ブロック３１、および埋込ブロック３１側面に設けられ非エネルギー散逸セ
グメントを接続する接続シート３２を含む。
該補強装置の工法は以下のステップを含む：
ステップ１：地震破壊した接続ビームの切断
１）壁柱と接続ビームの接続部に沿って地震破壊した接続ビームを全部切断し、地震破壊
した接続ビームは具体的に地震で破壊した鉄筋コンクリート接続ビームの破壊部分であり
、鉄筋コンクリート接続ビームのアスペクト比がＬ／Ｈ＝２．５であり、
２）地震破壊した接続ビームを切断した壁柱の端面に取付ノッチを切り取る、
３）壁柱の鉄筋部分が露出するまで、取付ノッチを研磨し、切断部をクリーンアップする
、
ステップ２：補強装置の取付
１）非エネルギー散逸セグメントにエネルギー散逸セグメントの取付位置をカットし、地
震破壊した接続ビームの長さに応じて同じ長さのＩ型鋼のビームを選択し、選択されたＩ
型鋼のビームにエネルギー散逸セグメントの取付位置をカットし、カットした２つの非エ
ネルギー散逸セグメントを取得し、そのうちに、エネルギー散逸セグメントの取付位置を
カットするときにＩ型鋼のビームの両端に取付ノッチの深さと等しい距離を確保する必要
がある、
５）埋込ブロック３１によって第２の接続部品３を２つの取付ノッチ間に取り付け、カッ
トしたいずれか一方の非エネルギー散逸セグメントを１つの接続シート３２に取り付け、
エネルギー散逸セグメント一端の第１の接続部品２上のＩ字形のスロット２２を取付ノッ
チ上のＩ型鋼のビームに位置合わせて取り付け、強化ボルトを使用して順次第１の固定ノ
ッチ２３によって第１の接続溝と固定され、第２の固定ノッチ２４によって第２の接続溝
と固定され、その後他方のカットした非エネルギー散逸セグメントをエネルギー散逸セグ
メント、他方の接続シート３２間に取り付ける。
【００２３】
実施例８：実施例６と異なり、該補強装置の工法は以下のステップを含む：
ステップ１：地震破壊した接続ビームの切断
１）壁柱と接続ビームの接続部に沿って地震破壊した接続ビームを全部切断し、地震破壊
した接続ビームは具体的に地震で破壊した鉄筋コンクリート接続ビームの破壊部分であり
、鉄筋コンクリート接続ビームのアスペクト比がＬ／Ｈ＝３．２であり、
２）地震破壊した接続ビームを切断した壁柱の端面に取付ノッチを切り取る、
３）壁柱の鉄筋部分が露出するまで、取付ノッチを研磨し、切断部をクリーンアップする
、
ステップ２：補強装置の取付
１）非エネルギー散逸セグメントにエネルギー散逸セグメントの取付位置をカットし、地
震破壊した接続ビームの長さに応じて同じ長さのＩ型鋼のビームを選択し、選択されたＩ
型鋼のビームにエネルギー散逸セグメントの取付位置をカットし、カットした２つの非エ
ネルギー散逸セグメントを取得し、そのうちに、エネルギー散逸セグメントの取付位置を
カットするときにＩ型鋼のビームの両端に取付ノッチの深さと等しい距離を確保する必要
がある、
６）エネルギー散逸セグメントをカットした２つの非エネルギー散逸セグメント間に取り
付け、補修された接続ビーム全体を形成し、カットした２つの非エネルギー散逸セグメン
トを順次エネルギー散逸セグメント両端の第１の接続部品２上のＩ字形のスロット２２内
に挿入し、その後強化ボルトを使用して順次第１の固定ノッチ２３によって第１の接続溝
と固定され、第２の固定ノッチ２４によって第２の接続溝と固定され、その後第２の接続
部品３をカットした２つの非エネルギー散逸セグメント外側端に取り付け、埋込ブロック
３１によって第２の接続部品３を２つの取付ノッチ間に取り付ける。
【００２４】
実験例：比較組と比較して、実施例１、３、５、７で提出された補強装置の性能を実験に
よって測定し、そのうちに、比較組の非エネルギー散逸セグメント、エネルギー散逸セグ
メントはそれぞれＱ３４５鋼を採用し、エネルギー散逸セグメントにフランジとウェブが
設けられ、そのうちに、フランジはＱ３４５鋼を採用し、ウェブはＬＹ２２５低降伏点鋼
を採用し、非エネルギー散逸セグメント、エネルギー散逸セグメント間にエンドプレート
-シアーキーによって接続される。
具体的なステップは以下の通りである：実施例１、３、５、７で提出された補強装置のそ
れぞれについて、接続ビームは第１回破壊が発生するまで接続ビームに負荷を加え湾曲さ
せ、その後エネルギー散逸セグメントを、接続ビームが弧度を持つまま取り外して交換し
、交換済の接続ビームに再び負荷を加え、０．０２０ｒａｄの弧度まで停止し、それが回
復した後、接続ビームの弧度が０．００２ｒａｄ／ｍｉｎの速度で増加するように接続ビ
ームに第２回破壊現象が発生するまでさらに負荷を加え、具体的な実験データは表１に示
される：
表１：実施例１、３、５、７および比較組に対する実験によって得られたデータテーブル
【００２５】
0006957788.tif 000002
【００２６】
結論：本発明の補強装置によって構成される接続ビームの構造は、その限界弧度が大幅に
大きくなり、地震で破壊した後エネルギー散逸セグメントの交換にかかる時間が短縮され
る。
【要約】      （修正有）【課題】地震破壊した接続ビームを完全に切断し、非エネルギー散逸セグメントにエネルギー散逸セグメントを取り付ける補強装置および工法を提供する。【解決手段】壁柱と接続ビームの接続部に沿って地震破壊した接続ビームを全部切断し、壁柱の端面の取付ノッチを研磨し切断部をクリーンアップする。エネルギー散逸セグメントの取付位置に、地震破壊した接続ビームの長さに応じた、非エネルギー散逸セグメントであるＩ型鋼のビームを取付け、Ｉ型鋼のビームの端部を取付ノッチに取り付ける。【選択図】図１【図１】
0006957788.tif 000003
【図２】
0006957788.tif 000004
【図３】
0006957788.tif 000005
【図４】
0006957788.tif 000006
【図５】
0006957788.tif 000007
【図６】
0006957788.tif 000008
【図７】
0006957788.tif 000009